(57)【要約】【課題】格別な施工工事を必要とせず、また光源からの発熱の対策のための付帯的な手段も不要であり、かつ天井面を間接的に照明する機能を果たすダウンライトとして好適に利用することができる照明装置を提供すること。【解決手段】照明用光源として利用される面発光体１と、前記面発光体からの出射光を配光案内する灯具本体５とにより構成される。前記灯具本体５には、面発光体１の発光面を囲撓するようにして面発光体に装着される灯具取り付け部６と、前記灯具取り付け部に続いて窓孔により構成され、前記面発光体の発光面に直交しない方向への前記出射光を通過させる第１光案内部７と、前記第１光案内部に続いて筒体状に形成され、筒体内に向かう前記面発光体の発光面に直交する方向の前記出射光を通過させる第２光案内部８が具備されている。【選択図】図３Ａ
2010009969.tif 000002
【特許請求の範囲】
【請求項１】
照明用光源として利用される面発光体と、前記面発光体からの出射光を配光案内する灯具本体とからなる照明装置であって、
前記灯具本体には、前記面発光体の発光面を囲撓するようにして面発光体に装着される灯具取り付け部と、
前記灯具取り付け部に続いて光透過材料もしくは窓孔により構成され、前記面発光体の発光面に直交しない方向への前記出射光を通過させる第１光案内部と、
前記第１光案内部に続いて筒体状に形成され、筒体内に向かう前記面発光体の発光面に直交する方向の前記出射光を通過させる第２光案内部と、
が具備されていることを特徴とする照明装置。
【請求項２】
前記第２光案内部を構成する筒体内には、前記面発光体に直交する方向に仕切り面を形成したルーバーが配置されていることを特徴とする請求項１に記載された照明装置。
【請求項３】
前記第２光案内部を構成する筒体の上端部には、前記面発光体から到来する光の一部を反射させる反射部材が形成されていることを特徴とする請求項１または請求項２に記載された照明装置。
【請求項４】
前記面発光体を囲むようにして金属性素材による磁気吸着部が形成され、当該磁気吸着部に対して前記灯具本体における灯具取り付け部が、磁気吸着手段により着脱可能に取り付けられることを特徴とする請求項１ないし請求項３のいずれか１項に記載された照明装置。
【請求項５】
前記面発光体が有機ＥＬ素子により構成されていることを特徴とする請求項１ないし請求項４のいずれか１項に記載された照明装置。
【発明の詳細な説明】
【技術分野】
【０００１】
この発明は、光源として有機ＥＬ（エレクトロルミネッセンス）素子に代表される面発体を用い、前記面発体からの光を配光制御する筒体状の配光制御部材を備えることにより、例えばダウンライトとして利用可能な照明装置に関する。
【背景技術】
【０００２】
従来より各種店舗やショーウインドウ、エントランスホールやオフィスなどにおいて、主にその直下位置を照明するダウンライトが用いられている。また昨今においては生活様式の多様化に伴い、一般の住居の一部においても前記したダウンライトが採用される趨勢にある。
【０００３】
従来の前記したダウンライトとしては、天井面に埋め込むタイプのものが提供されており、したがって、これを設置するには天井面に設置用の開口を施す必要があり、ダウンライトの設置に際して施工工事が必要となる。それ故、天井面への孔開け加工が困難な場合にはこれを設置することは不可能である。
【０００４】
また、従来の前記したダウンライトは、その光源に白熱ランプもしくはハロゲンランプ等が用いられており、したがって前記光源からの発熱の対策が必要となる。その対策の一つとして器具本体の裏面に多数の放熱フィンを施したもの（特許文献１，２）や、器具本体の裏面に比較的広い面積の断熱板が取り付けられるように構成したもの（特許文献３）も提案されている。
【特許文献１】特開平５−４７２０８号公報
【特許文献２】特開平９−２９３４１０号公報
【特許文献３】特開２００７−９５３９４号公報
【０００５】
前記特許文献に開示されたダウンライトによると、光源からの発熱の対策のための付帯的な構成を施すことにより大型化し、例えば天井懐が浅い場合には、これを取り付けることができない等、ダウンライトの取り付けのための制約が大きい。
【０００６】
一方、前記したダウンライトは、専らその直下位置をスポット状に照明する機能を持たせたものが主流であり、天井面を含む室内全体は他の照明器具により照明されるように使い分けがなされている。このためにダウンライトと室内全体を照明する他の照明器具を併用する必要があり、１つの器具によってダウンライトと天井面を含む間接照明の機能を果たす形態のものも求められている。
【発明の開示】
【発明が解決しようとする課題】
【０００７】
この発明は、前記した従来のものの問題点および要求に基づいてなされたものであり、器具の取り付けに際して格別な施工工事を必要とせず、光源からの発熱の対策のための付帯的な手段も不要であり、かつ主照射の機能以外に取り付け位置の周囲も間接的に照明する機能を果たす例えばダウンライトとして好適に利用することができる照明装置を提供することを課題とするものである。
【課題を解決するための手段】
【０００８】
前記した課題を解決するためになされたこの発明にかかる照明装置は、照明用光源として利用される面発光体と、前記面発光体からの出射光を配光案内する灯具本体とからなる照明装置であって、前記灯具本体には、前記面発光体の発光面を囲撓するようにして面発光体に装着される灯具取り付け部と、前記灯具取り付け部に続いて光透過材料もしくは窓孔により構成され、前記面発光体の発光面に直交しない方向への前記出射光を通過させる第１光案内部と、前記第１光案内部に続いて筒体状に形成され、筒体内に向かう前記面発光体の発光面に直交する方向の前記出射光を通過させる第２光案内部とが具備されている点に特徴を有する。
【０００９】
この場合、一つの好ましい形態においては、前記第２光案内部を構成する筒体内には、前記面発光体に直交する方向に仕切り面を形成したルーバーが配置された構成にされる。
【００１０】
また、他の好ましい形態においては、前記第２光案内部を構成する筒体の上端部には、前記面発光体から到来する光の一部を反射させる反射部材が形成された構成にされる。
【００１１】
加えて、前記面発光体を囲むようにして金属性素材による磁気吸着部が形成され、当該磁気吸着部に対して前記灯具本体における灯具取り付け部が、磁気吸着手段により着脱可能に取り付けられるように構成されていることが望ましい。
【００１２】
そして、前記面発光体として有機ＥＬ素子を好適に採用することができる。
【発明の効果】
【００１３】
前記した構成の照明装置によると、第１光案内部が光透過材料もしくは窓孔により形成され、面発光体からの発光面に直交しない方向への出射光を通過させるように成されるので、これが淡い光で天井面を間接的に照明する機能を果たすことができる。また第２光案内部が筒体状に形成され、前記面発光体の発光面に直交する方向の出射光が前記筒体内を通過するように作用するので、これが所定のカットオフ角度を有するダウンライトとしての機能を果たすことができ、装飾効果にも優れた照明装置を提供することができる。
【００１４】
加えて、前記面発光体として有機ＥＬ素子を採用することにより、発熱を伴うことなく高い発光効率を得ることができ、きわめて軽量かつ薄型化が可能であるという特質をそのまま生かすことができる。これにより、器具の取り付けに際して格別な施工工事を必要とせず、光源からの発熱の対策のための付帯的な手段も不要となる。
【００１５】
そして、前記面発光体を囲むようにして金属性素材により磁気吸着部を形成し、前記した第１および第２の光案内部を備えた灯具本体を磁気吸着手段により着脱可能に取り付けられるように構成することで、例えば灯具本体の清掃時等においての取り扱いを容易にすることができる。
【発明を実施するための最良の形態】
【００１６】
以下、この発明にかかる照明装置について、図に示す実施の形態に基づいて説明する。図１Ａ〜図１Ｃは、その第１の実施の形態を示したものであり、図１Ａは例えば天井面に有機ＥＬ素子からなる面発光体、および灯具本体を順に取り付ける状況を示した断面図であり、図１Ｂは照明装置を下側から視た状態の底面図、図１Ｃは灯具本体を斜め上方から視た状態の斜視図である。
【００１７】
図１Ａおよび図１Ｂに示すように面発光体１は、矩形状に成形された有機ＥＬ素子により構成されており、図１Ａに示すように前記面発光体１の四辺を囲むようにして金属性素材による磁気吸着部２が取り付けられている。そして、面発光体１における発光面１ａが下向きとなるようにして、その裏面において接着シート３を介して天井等の取り付け面４に取り付けられる。また前記取り付け面４には、必要に応じて面発光体１としての前記有機ＥＬ素子に給電するための給電線（図示せず）を通す開口４ａが設けられる。
【００１８】
なお、前記取り付け面４が金属製の素材により構成されている場合においては、前記接着シート３に代えてマグネットシートを用いることで、面発光体１の四辺を囲む前記磁気吸着部２を利用して、面発光体１を前記取り付け面４に取り付けることができる。
【００１９】
以上のようにして取り付け面４に取り付けられた前記面発光体１には、符号５で示す灯具本体が取り付けられる。この灯具本体５には図１Ｂ、図１Ｃにも示されているとおり、前記した面発光体１の発光面１ａを囲撓するようにして面発光体１に装着される灯具取り付け部６が具備されている。
【００２０】
この灯具取り付け部６は、前記面発光体１の四辺を囲むようにして取り付けられた前記磁気吸着部２と同様の矩形状の口径寸法に形成されている。したがって灯具取り付け部６を、金属製の素材により形成することで、矩形状の開口が形成された符号９で示すマグネットシートを介することで、灯具本体５を面発光体１の磁気吸着部２に取り付けることができる。
【００２１】
前記灯具本体５には、前記面発光体１の発光面１ａに直交しない方向への出射光を通過させる第１光案内部７が形成されている。すなわち第１光案内部７は、図１Ｃに示されたように灯具取り付け部６と後述する筒体状の第２光案内部８とを連結する４本のリブ部材５ａにより仕切られた窓孔により構成されている。
【００２２】
また、前記第２光案内部８は方形状の筒体（第２光案内部と同一の符号８で示す。）により構成されており、筒体内に向かう前記面発光体１の発光面１ａに直交する方向の出射光を通過させるように機能する。すなわち、前記筒体８が所定の長さ寸法に形成されることで、前記面発光体１からの出射光が所定のカットオフ角度をもって下方に投射され、これがダウンライトとしての機能を果たすように作用する。
【００２３】
なお、前記した灯具本体５は、好ましくはその全体が厚さの薄い（例えば０．８ｍｍ程度の）金属板を折り曲げ加工することにより形成され、これに例えばメラミン樹脂の焼き付け塗装が施されることにより構成される。したがって、灯具本体５は軽量に形成させることができ、図示例に示すようにマグネットシート９を利用することで、天井面等に着脱可能に取り付けることが可能である。
【００２４】
図２は、前記した面発光体１としての有機ＥＬ素子（面発光体と同一の符号１で示す。）の構成例を説明するものであり、図２においては有機ＥＬ素子１を構成する各層を層方向に分離した状態で示している。すなわち、この種の有機ＥＬ素子１は、例えばガラス等の透明な素材により形成された基板１Ａの片面に、第１電極となる例えばＩＴＯによる透明電極１Ｂが形成される。
【００２５】
また、前記透明電極１Ｂに重畳されるようにして有機発光層Ｃが成膜される。この有機発光層は、例えばホール輸送層、発光層、電子輸送層などにより構成されるが、図においては一層の有機発光層１Ｃとして示している。そして、前記有機発光層１Ｃに重畳されるようにして第２電極となる例えばアルミニウムなどによる対向電極１Ｄが形成される。
【００２６】
これに加えて、図には示していないが対向電極１Ｄの背面側には封止基板が配置され、この封止基板は、前記した前面側のガラス基板１Ａの周縁部において封止部材により封止される。
【００２７】
そして、前記透明電極１Ｂと、対向電極１Ｄとの間には直流電源Ｅが接続され、これにより有機発光層１Ｃにおける前記透明電極１Ｂと対向電極１Ｄで挟まれた部分が発光し、その光は前記透明電極１Ｂおよびガラス基板１Ａを透過して外部に導出される。
【００２８】
前記した有機ＥＬ素子１によると直流の低電圧により駆動されることで高い発光効率を有し、軽量かつ薄型化が可能であると共に、ほとんど発熱がないという特質を有しており、この発明にかかる照明装置に好適に採用することができる。
【００２９】
次に図３Ａ〜図３Ｃは、この発明にかかる照明装置における第２の実施の形態を示したものであり、これら各図はすでに説明した図１Ａ〜図１Ｃに示した第１の実施の形態と同様の図示状態にされている。そして、図１Ａ〜図１Ｃに示した第１の実施の形態における各部と同様の機能を果たす部分を同一符号で示しており、したがってその詳細な説明は省略する。
【００３０】
図３Ａ〜図３Ｃに示す第２の実施の形態においては、第２光案内部を構成する方形状の筒体８内には、面発光体としての前記した有機ＥＬ素子１の発光面１ａに直交する方向に仕切り面を形成したルーバー８ａが配置されている。すなわちこの実施の形態におけるルーバー８ａは、方形状の筒体８内を水平方向にそれぞれ３分割するようにして井桁状に構成されている。
【００３１】
したがって前記したルーバー８ａを備えることにより、面発光体としての前記した有機ＥＬ素子１からの出射光を、より狭いカットオフ角度をもって下方に投射させることができ、その直下位置をよりスポット状に照明する機能を持たせたことができる。
【００３２】
図４Ａ〜図４Ｃは、この発明にかかる照明装置における第３の実施の形態を示したものであり、これら各図はすでに説明した図１Ａ〜図１Ｃ、図３Ａ〜図３Ｃに示した第１および第２の実施の形態と同様の図示状態にされている。そして、第１および第２の実施の形態における各部と同様の機能を果たす部分を同一符号で示しており、したがってその詳細な説明は省略する。
【００３３】
図４Ａ〜図４Ｃに示す第３の実施の形態においては、第２光案内部を構成する筒体８の上端部に、前記した面発光体としての有機ＥＬ素子１から到来する光の一部を反射させる反射部材８ｂが形成されている。すなわち、図に示す実施の形態においては、方形状に形成された前記筒体８の上端部が、筒体８の外側に向かって水平状態に湾曲するようにして形成されており、水平状態に形成された鍔状の部分が前記反射部材８ａを構成している。
【００３４】
したがって前記した構成によると、図４Ａに示すように窓孔により構成された第２光案内部８を通過する面発光体１からの光の一部は、矢印ｃで示すように鍔状に形成された反射部材８ａにより反射され、矢印ｄで示すように面発光体１の取り付け面４側に投射される。したがって、灯具本体５を天井面に取り付ける場合においては、面発光体１からの光の一部が天井面に向かって到達する間接照明の度合いを大きくさせることができる。
【００３５】
以上の説明で明らかなとおり、この発明にかかる照明装置は面発光体１と灯具本体５とにより構成され、前記灯具本体５には灯具取り付け部、第１光案内部、第２光案内部が具備されているので、前記面発光体からの光の一部を淡い光で灯具取り付け面（天井面）を照明する機能を果たすと共に、所定のカットオフ角度を有するダウンライトとしての機能を持たせることができる。
【００３６】
また、器具の取り付けに際して格別な施工工事を必要とせず、さらに光源からの発熱の対策のための付帯的な手段も不要であるなど、前記した発明の効果に記載した作用効果を得ることができる。
【００３７】
なお、以上説明した実施の形態においては、灯具本体における第２光案内部を構成する筒体部は、方形状になされているが、これは例えば円筒状またはその他の形状を選択することができ、同様にルーバーの形状も井桁状に構成されることなく例えば筒体部と同心状に形成させることもできる。
【００３８】
また、実施の形態においては、第１光案内部７は、灯具取り付け部６と筒体状の第２光案内部８とを連結する４本のリブ部材５ａにより仕切られた窓孔により構成されているが、これは利用形態に応じて例えば和紙もしくは合成樹脂等の光透過材料により構成することもできる。また前記窓孔に平板状の光透過部材を嵌め込んだ構成にすることもできる。
【００３９】
また、前記した説明においては、この発明にかかる照明装置の面発光体１を天井面に取り付けてダウンライトとして利用する例を示しているが、この面発光体１は壁面（横壁）に取り付けることもでき、さらに前記面発光体１を例えば支柱の先端部に取り付けてスタンドライトもしくはスポットライトとして機能させるように利用することも可能である。
【００４０】
さらに、この発明にかかる照明装置においては、面発光体として望ましくは有機ＥＬ素子が用いられるが、これ以外に、無機ＥＬ素子などの面発光素子を利用することも可能である。
【図面の簡単な説明】
【００４１】
【図１Ａ】この発明にかかる第１の実施の形態における照明装置を取り付ける状況を示した断面図である。
【図１Ｂ】同じく照明装置を下側から視た状態の底面図である。
【図１Ｃ】同じく灯具本体を斜め上方から視た状態の斜視図である。
【図２】面発光体としての有機ＥＬ素子の構成例を説明する模式図である。
【図３Ａ】この発明にかかる第２の実施の形態における照明装置を取り付ける状況を示した断面図である。
【図３Ｂ】同じく照明装置を下側から視た状態の底面図である。
【図３Ｃ】同じく灯具本体を斜め上方から視た状態の斜視図である。
【図４Ａ】この発明にかかる第３の実施の形態における照明装置を取り付ける状況を示した断面図である。
【図４Ｂ】同じく照明装置を下側から視た状態の底面図である。
【図４Ｃ】同じく灯具本体を斜め上方から視た状態の斜視図である。
【符号の説明】
【００４２】
１    面発光体（有機ＥＬ素子）
１ａ  発光面
２    磁気吸着部
３    接着シート
４    取り付け面
５    灯具本体
５ａ  リブ部材
６    灯具取り付け部
７    第１光案内部（窓孔）
８    第２光案内部（筒体）
８ａ  ルーバー
８ｂ  反射部材
９    マグネットシート
【図１Ａ】
2010009969.tif 000003
【図１Ｂ】
2010009969.tif 000004
【図１Ｃ】
2010009969.tif 000005
【図２】
2010009969.tif 000006
【図３Ａ】
2010009969.tif 000007
【図３Ｂ】
2010009969.tif 000008
【図３Ｃ】
2010009969.tif 000009
【図４Ａ】
2010009969.tif 000010
【図４Ｂ】
2010009969.tif 000011
【図４Ｃ】
2010009969.tif 000012
【手続補正書】
【提出日】平成21年7月14日(2009.7.14)
【手続補正１】
【補正対象書類名】明細書
【補正対象項目名】００２５
【補正方法】変更
【補正の内容】
【００２５】
また、前記透明電極１Ｂに重畳されるようにして有機発光層１Ｃが成膜される。この有機発光層は、例えばホール輸送層、発光層、電子輸送層などにより構成されるが、図においては一層の有機発光層１Ｃとして示している。そして、前記有機発光層１Ｃに重畳されるようにして第２電極となる例えばアルミニウムなどによる対向電極１Ｄが形成される。
【手続補正２】
【補正対象書類名】明細書
【補正対象項目名】００３３
【補正方法】変更
【補正の内容】
【００３３】
図４Ａ〜図４Ｃに示す第３の実施の形態においては、第２光案内部を構成する筒体８の上端部に、前記した面発光体としての有機ＥＬ素子１から到来する光の一部を反射させる反射部材８ｂが形成されている。すなわち、図に示す実施の形態においては、方形状に形成された前記筒体８の上端部が、筒体８の外側に向かって水平状態に湾曲するようにして形成されており、水平状態に形成された鍔状の部分が前記反射部材８ｂを構成している。
【手続補正３】
【補正対象書類名】明細書
【補正対象項目名】００３４
【補正方法】変更
【補正の内容】
【００３４】
したがって前記した構成によると、図４Ａに示すように窓孔により構成された第２光案内部８を通過する面発光体１からの光の一部は、矢印ｃで示すように鍔状に形成された反射部材８ｂにより反射され、矢印ｄで示すように面発光体１の取り付け面４側に投射される。したがって、灯具本体５を天井面に取り付ける場合においては、面発光体１からの光の一部が天井面に向かって到達する間接照明の度合いを大きくさせることができる。